(57)【特許請求の範囲】
【請求項１】
反射杯及びアルミ基板を含み、そのうち、
該反射杯は、透光口及び入出口を有し、該透光口は、レンズを設置し、該透光口は、該入出口向きに環形錐面を環設し、該環形錐面は、該透光口及び該入出口を接続し、該透光口、該入出口及び環形錐面の間に収容室を形成し、該環形錐面に沿って少なくとも１つの溝を開設し、
該アルミ基板は、該入出口位置に設けられ、該アルミ基板外周側は、少なくとも１つの連通管を凸伸し、該連通管は、該溝に対応し、該アルミ基板表面は、発光部材を設け、
これにより、該アルミ基板は、該入出口から該透光口へ上下移動し、該少なくとも１つの連通管を連動し、該溝に沿って上下移動させ、該発光部材は、該アルミ基板の上下移動の高さの違いに応じて、該発光部材の光源を該透光口から離脱、又は接近させ、光源に集中又は拡散の異なる変化を発生させる発光調整装置。
【請求項２】
前記アルミ基板の軸向きの断面が該入出口の軸向きの断面より小さい請求項1に記載の発光調整装置。
【請求項３】
前記連通管は、熱導管であるか、放熱効果を具える管部材である請求項1に記載の発光調整装置。
【請求項４】
前記連通管及び該溝が対応して有する同一の数量が、１、２又は４であるか、該溝の数量が該連通管の数量より大きい組み合わせ方式である請求項1に記載の発光調整装置。
【請求項５】
前記溝は、該入出口から該透光口の方向へ螺旋状を呈し、該環形錐面上に環設される請求項１に記載の発光調整装置。
【請求項６】
前記連通管は、該アルミ基板外周側から適当な距離だけ水平に凸伸した後、該透光口の反射方向へ湾折する請求項1に記載の発光調整装置。
【発明の詳細な説明】
【技術分野】
【０００１】
本発明は、発光調整装置に関し、特に、発光部材とレンズの距離を調整し、光源を集中又は拡散させることができ、且つ放熱効果が良好な発光調整装置に関する。
【背景技術】
【０００２】
ランプは、現在最も不可欠な照明工具であり、住居のシールライト、照明灯、外出に随時携帯可能な懐中電灯、自動車のライト等の様々なランプは、何れも人々が周囲の人や物をはっきりと見ることができるように補助し、時代の進歩に伴い、ランプは、外観の変化以外に、機能性も大幅に向上され、例えば、焦点距離を調整でき、人体を検出して発光する等の性能があり、ここでは、焦点距離を調整することで光源の集中又は拡散を変化させることについて議論する。
【０００３】
一般の市場において、焦点距離を調整することで光源を変化させる灯具は、何れも手持ち式ライトがほとんどであり、大部分の焦点調整手持ち式ライトは、何れも前端の中間を凸レンズとして利用し、後端を円球状部位とした透明グローブを利用し、照射した光線に集中又は拡散の効果を発生させ、上記従来技術の発光部材は、その使用時、それが発散する熱が時間と共に徐々に上昇し、現在は、熱が徐々に上昇する困難を解決する為、発光部材下方にアルミ基板を設置し、外向きに発光部材が発生する高熱を発散することに用いているが、発光部材の高熱を効率的に発散することができるか否かは、アルミ基板の大きさにより決定され、アルミ基板の寸法が大きいほど、放熱効果が良好であり、反対に、小さいほど良好でなく、このように、１つの問題を発生し、上記透明グローブの円球状部位は、発光部材を接近させる空間は、相當有限であり、円球状部位に小さな孔を開設するか、小さなアルミ基板に換えて初めて問題を解決できるが、孔を開設することは、ただ発光部材を収納することができるだけであり、また、寸法が小さいアルミ基板は、その放熱効果が発光部材の発生する高熱に応じることができない。
【０００４】
ドイツ特許第DE202008014670U1号の開示を参照し、この案は、グローブ後端の円球状部位が略削除され、発光部材及びアルミ基板を進入させる凹溝を開設しているが、小さな面積のアルミ基板のみを進入させることができる。従って、その実用性は、有限であり、更に改善する必要があり、大きなアルミ基板を収納でき、活動空間を効率的に利用し、発光部材を更にレンズに接近させることができるようにする必要がある。
【０００５】
続いて、中華人民共和国特許出願第201120066714.4号「伸縮ランプレンズ構造」の開示を参照し、それは、グローブ体を含み、そのうち、該グローブ前端は、内向きに透過室を凹設し、該透過室内周壁に錐面を環設し、該錐面は、内向きに直径が徐々に減少し、錐面内部中心に凸レンズを設け、グローブ外周に傾斜錐部を環設し、該傾斜錐部は、グローブ後端に向かって直径が徐々に減少し、傾斜錐部端部に切断面を設け、該切断面中心は、収納孔を設け、該収納孔の厚さは、dであり、ランプの厚さは、Dであり、孔の最大の長さは、ｌであり、アルミ基板の長さがLであり、そのうち、d≧D、L＞ｌであり、これにより、該収納孔は、ランプを進入させることができ、比較的大きな面積のアルミ基板を収納孔に接近させ、ランプのグローブに対する活動空間を増大する。
【０００６】
上記「伸縮ランプレンズ構造」は、大きなアルミ基板が凹溝内に効率に進入することができないことを改善し、且つランプが上昇する活動空間をより大きくしている。但し、アルミ基板及びランプがグローブに接近する時、アルミ基板は、グローブと接触し易く、ランプがグローブに接近することができず、ランプは、グローブを透過して照射する光源の範囲が制限される。従って、上記「伸縮ランプレンズ構造」は、上記の欠点を改善することができない。
【０００７】
上記の従来技術の２項の特許案件の欠陥に鑑み、本出願人は、「発光調整装置」を開発し、それは、より多くの空間を利用し、発光部材を変位させ、それに照明の広さを増加させ、且つアルミ基板は、発光部材と同じくグローブ内で変位することができ、基板が上向きに変位する時、アルミ基板が過熱によりグローブ主体に接触する等の問題を防止する。
【先行技術文献】
【特許文献】
【０００８】
【特許文献１】特開２０１０−２２５３９２号公報
【発明の概要】
【発明が解決しようとする課題】
【０００９】
本発明の目的は、発光部材のレンズを透過して照射する光源範囲を調整でき、放熱効果が良好な発光調整装置を提供することであり、それは、従来技術の設計の不適切により光源の範囲を増加できず、放熱が良好でない等の欠陥を改善することができる。
【課題を解決するための手段】
【００１０】
前記発明の目的及び効果を達成する為、本発明は、反射杯及びアルミ基板を含み、そのうち、
該反射杯は、透光口及び入出口を有し、該透光口は、該入出口向きに環形錐面を環設し、該環形錐面は、該透光口及び該入出口を接続し、該透光口、該入出口及び環形錐面の間に収容室を形成し、更に、該入出口から該透光口方向に向き、且つ該環形錐面に沿って少なくとも１つの溝を開設し、該透光口は、レンズを設け、
該アルミ基板は、該入出口位置に設けられ、該アルミ基板外周側は、少なくとも１つの連通管を凸伸し、該連通管は、該溝に対応し、該アルミ基板表面は、該レンズに対応する発光部材を設け、
これにより、該アルミ基板は、該入出口から該透光口へ上下移動し、該連通管を連動し、該溝に沿って上下移動させ、該発光部材は、該アルミ基板の上下移動の高さの違いに応じて、該発光部材の光源を該透光口から離脱、又は接近させ、光源に該レンズを介して集中又は拡散の異なる変化を発生させる。
【００１１】
そのうち、該アルミ基板の軸方向断面は、該入出口軸方向断面より小さく、該アルミ基板を収容室内で上下移動可能にする。
【００１２】
該連通管は、導熱管であるか、放熱効果を有する管部材である。
【００１３】
該溝の一端は、該入出口と互いに連通し、且つ該溝の幅は、該連通管の幅より大きく、これにより、該連通管は、該溝に沿って上下移動でき、該発光部材の光源を連動し、レンズから離脱又は接近させ、光源に該レンズを介して集中又は拡散の効果を達成させる。
【００１４】
該連通管及び該溝は、対応して同一数量を有し、それが１，２又は４であるか、該溝の数量が、該連通管の数量より多く、例えば、２つの溝は、連通管に合わせて組み合わさるか、該溝は、該入出口から該透光口へ向かって螺旋状を呈し、該環形錐面上に環設される。
【００１５】
更に、該連通管は、該アルミ基板外周側から適当な距離だけ凸伸した後、該レンズの相反する端に向かって湾折する。
【００１６】
従って、本発明は、実用性及び進歩性を有する発明に相当し、産業界に推進し、社会大衆に公開するに値し、社会をより進歩させるものであると言える。
【発明の効果】
【００１７】
本発明の発光調整装置は、発光部材のレンズを透過して照射する光源範囲を調整でき、放熱効果が良好であり、従来技術の設計の不適切により光源の範囲を増加できず、放熱が良好でない等の欠陥を改善することができる。
【図面の簡単な説明】
【００１８】
【図１】本発明の立体説明図である。
【図２】本発明のアルミ基板及び連通管が透光口へ変位する立体説明図である。
【図３】本発明の光源の集中照射の断面説明図である。
【図４】本発明の光源の拡散照射の断面説明図である。
【図５】本発明の第２実施例の立体説明図である。
【図６】本発明の第３実施例の立体説明図である。
【図７】本発明の第４実施例の立体説明図である。
【図８】本発明の第５実施例の立体説明図である。
【図９】本発明の少なくとも１つの溝、２つの溝及び４つの溝の照度ルーメンの説明図である。
【図１０】本発明の少なくとも１つの溝、２つの溝及び４つの溝の照度ルーメンの説明図である。
【図１１】本発明の少なくとも１つの溝、２つの溝及び４つの溝の照度ルーメンの説明図である。
【発明を実施するための形態】
【００１９】
上記のアルミ基板及び発光部材の変位高さを効率的に調整し、放熱効果を低下させないようにする為、本発明の「発光調整装置」は、以下に内容を説明し、並びに図１〜図４を参照し、本発明は、反射杯１及びアルミ基板２を含み、そのうち、
該反射杯１は、透光口１１及び入出口１２を有し、該透光口１１は、該入出口１２向きに環形錐面１３を環設し、該環形錐面１３は、該透光口１１及び該入出口１２を接続し、該透光口１１、該入出口１２及び環形錐面１３の間に収容室１４を形成し、更に、該環形錐面１３に沿って少なくとも１つの溝１５を開設し、該溝１５の一端は、該入出口１２と互いに連通し、該透光口１１は、レンズ３を設け、
該アルミ基板２は、該入出口１２位置に設けられ、該アルミ基板２外周側は、少なくとも１つの連通管２１を凸伸し、該連通管２１は、該溝１５に対応し、該アルミ基板２表面は、該レンズ３に対応する発光部材２２を設け、該連通管２１は、導熱管であるか、放熱効果を有する管部材である。
【００２０】
本発明の「発光調整装置」の使用方式及びそれが達成できる効果について、以下に図面に併せて説明する。
【００２１】
図１及び図２を参照し、該アルミ基板２の寸法は、該入出口１２の寸法の大きさより小さく、該アルミ基板２が該入出口１２から該透光口１１上下へ変位することができ、該連通管２１は該溝１５の上下に沿った変位を連動し、該溝１５の幅は、該連通管２１の幅より大きく、該連通管２１を該溝１５の経路の上下に沿って変位させ、該発光部材２２の該レンズ３への接近又は離脱を調整し、照射する光源に集中又は拡散の変化を発生させる。
【００２２】
該発光部材２２は、該アルミ基板２の上下の高さの違いにより、図３の光源の集中照射の説明図に示すように、該発光部材２２を該透光口１１の該レンズ３から離れるよう調整し、該発光部材２２が最底端にある時、光源が該反射杯１に照射した後、反射を経て、該レンズ３を経過して外向きに射出し、光源が集中の効果を発生し、反対に、図４の光源の拡散照射の説明図に示すように、該発光部材２２が該レンズ３に接近するよう調整される時、光源は、直接該レンズ３を経由し外向きに射出し、光源は、該レンズ３の屈折作用を経て光源拡散の効果を発生する。
【００２３】
本発明の図１〜図４に示すように、該連通管２１を該アルミ基板２外周側に増設し、外向きに適当な距離だけ凸伸させた後、該レンズ３の相反端下方へ湾折し、該発光部材２２が発生する熱量を該アルミ基板２に伝導し、該連通管２１を経由し熱量を該反射杯１から離すよう伝導し、該反射杯１及び発光部材２２の熱量を低減し、高温が内部部材を焼損させることを防止する。
【００２４】
本発明の図１及び図９に示されるように、該連通管２１は、該溝１５と対応して単一の数量を有し、且つ照度は、比較的大きく、或いは、本発明の図５及び図１０に示されるように、２つの連通管２１が２つの溝１５を組み合わせ、照度は、本発明の図９より小さく、本発明の図６及び図１１が示すように４つの連通管２１を４つの溝１５に合わせ、且つ照度は、前記両者より小さく、また、該溝１５の数量は、該連通管２１の数量より多い組み合わせ方式もあり、図７に示すように、２つの溝１５を１つの連通管２１と組み合わせる方式であり、図８に示すように、該溝１５は、該入出口１２から該透光口１１に螺旋状を呈し、該環形錐面１３上に環設し、その残りの組み合わせ方式又は該溝１５の形態は、これに限定するものではない。
【符号の説明】
【００２５】
１  反射杯
１１  透光口
１２  進入口
１３  環形錐面
１４  収容室
１５  溝
２  アルミ基板
２１  連通管
２２  発光部材
３  レンズ
【図１】
0005632399.tif 000002
【図２】
0005632399.tif 000003
【図３】
0005632399.tif 000004
【図４】
0005632399.tif 000005
【図５】
0005632399.tif 000006
【図６】
0005632399.tif 000007
【図７】
0005632399.tif 000008
【図８】
0005632399.tif 000009
【図９】
0005632399.tif 000010
【図１０】
0005632399.tif 000011
【図１１】
0005632399.tif 000012